(57)【要約】  清掃具用ケースの筒状体は、清掃具に支持された粘着テープロールが筒状体の軸方向に沿って収脱可能となるように、軸方向一端及び他端の少なくとも一方が開口すると共に、筒壁の少なくとも一部が前記軸方向途中位置において周方向に沿うように径方向内側に凸をなす括れ形状となるように構成されることを特徴とする。
2015145704.tif 000002
【特許請求の範囲】
【請求項１】
粘着面を有するテープ状基材を巻回してなる粘着テープロールを該ロールの中心軸線回りに回転可能に支持する清掃具によって支持された粘着テープロールを収容可能な筒状体を備えた清掃具用ケースであって、
筒状体は、清掃具に支持された粘着テープロールが筒状体の軸方向に沿って収脱可能となるように、軸方向一端及び他端の少なくとも一方が開口すると共に、筒壁の少なくとも一部が前記軸方向途中位置において周方向に沿うように径方向内側に凸をなす括れ形状となるように構成されることを特徴とする清掃具用ケース。
【請求項２】
前記筒状体は、筒状体が径方向に自立可能となるように、筒壁の周方向一部が軸方向に沿って板状をなす底壁部と、筒壁のうち前記底壁部から周方向に形成される部位である周壁部とを備えており、
前記周壁部は、前記底壁部の周方向両端部から周方向に形成されて径方向に対向する一対の側壁部を含み、各側壁部は、底壁部に対して起立状態となるように底壁部から延設される基部と、該基部の延設方向端部から周方向に沿って延設され、径方向外側に凸をなす湾曲形状の湾曲部とを備え、周壁部のうち少なくとも基部が前記括れ形状をなすことを特徴とする請求項１記載の清掃具用ケース。
【請求項３】
前記湾曲部が前記括れ形状をなすことを特徴とする請求項２記載の清掃具用ケース。
【請求項４】
前記周壁部は、底壁部に接続する底壁部側において径方向厚さが厚い厚肉部を有すると共に、底壁部から離れた反対側において径方向厚さが薄い薄肉部とを有し、
前記底壁部は、径方向厚さが前記薄肉部よりも厚く形成されていることを特徴とする請求項２又は請求項３記載の清掃具用ケース。
【発明の詳細な説明】
【技術分野】
【０００１】
本発明は、粘着面を有するテープ状基材を巻回してなる粘着テープロールを支持可能な清掃具によって支持された粘着テープロールを収容するための清掃具用ケースに関する。
【背景技術】
【０００２】
従来、この種の清掃具用ケースとして、半円筒形状を有する一対のカバーメンバからなり、各カバーメンバの基端同士が薄肉ヒンジで連結されており、薄肉ヒンジを介して自由端側を開閉させることにより、内部に粘着テープロールを収納するものが知られている（例えば、特許文献１）。前記カバーメンバでは、半円筒形状の軸方向両端部は、半円板状の閉塞部で閉塞されている。
【先行技術文献】
【特許文献】
【０００３】
【特許文献１】日本国特開２００３−５２６０２号公報
【発明の概要】
【発明が解決しようとする課題】
【０００４】
しかしながら、上記従来の清掃具用ケースでは、カバーメンバの軸方向両端部において前記閉塞部が形成されているため、カバーメンバに用いる材料の使用量が増加しており、製造コストを上昇させていた。この点、カバーメンバに閉塞部を設けないように構成することが考えられるが、閉塞部を有しないカバーメンバでは、剛性が低く保形性に課題があった。【０００５】
そこで、本発明は、上記問題に鑑みてなされたもので、製造コストを低減でき、かつ、保形性を担保できる清掃具用ケースを提供することを課題とする。
【課題を解決するための手段】
【０００６】
本発明に係る清掃具用ケースは、上記課題を解決するためになされたもので、粘着面を有するテープ状基材を巻回してなる粘着テープロールを該ロールの中心軸線回りに回転可能に支持する清掃具によって支持された粘着テープロールを収容可能な筒状体を備えた清掃具用ケースであって、筒状体は、清掃具に支持された粘着テープロールが筒状体の軸方向に沿って収脱可能となるように、軸方向一端及び他端の少なくとも一方が開口すると共に、筒壁の少なくとも一部が前記軸方向途中位置において周方向に沿うように径方向内側に凸をなす括れ形状となるように構成されることを特徴とする。【０００７】
かかる清掃具用ケースでは、筒状体の軸方向一端及び他端の少なくとも一方が開口しているため、筒状体に用いる材料の使用量を抑制して製造コストを低減させることができる。また、かかる清掃具用ケースでは、筒状体は、筒壁の少なくとも一部が前記軸方向途中位置において周方向に沿うように径方向内側に凸をなす括れ形状となるように構成されるため、筒状体の剛性を高めることができ、筒状体の保形性を担保できる。【０００８】
また、本発明に係る清掃具用ケースでは、前記筒状体は、筒状体が径方向に自立可能となるように、筒壁の周方向一部が軸方向に沿って板状をなす底壁部と、筒壁のうち前記底壁部から周方向に形成される部位である周壁部とを備えており、前記周壁部は、前記底壁部の周方向両端部から周方向に形成されて径方向に対向する一対の側壁部を含み、各側壁部は、底壁部に対して起立状態となるように底壁部から延設される基部と、該基部の延設方向端部から周方向に沿って延設され、径方向外側に凸をなす湾曲形状の湾曲部とを備え、周壁部のうち少なくとも基部が前記括れ形状をなすように構成されることも可能である。【０００９】
かかる清掃具用ケースでは、各側壁部が湾曲部と基部とを備え、湾曲部が径方向外側に凸をなす湾曲形状をなすため、湾曲部の径方向内側領域に粘着テープロールを容易に収容できると共に、基部は、底壁部に対して起立状態に形成され、かつ、前記括れ形状をなすため、側壁部の剛性を高めて筒状体の保形性を担保できる。【００１０】
また、本発明に係る清掃具用ケースでは、前記湾曲部が前記括れ形状をなすように構成されることも可能である。【００１１】
かかる清掃具用ケースでは、前記湾曲部が前記括れ形状をなすため、側壁部の剛性を高めて筒状体の保形性を担保できる。【００１２】
また、本発明に係る清掃具用ケースでは、前記周壁部は、底壁部に接続する底壁部側において径方向厚さが厚い厚肉部を有すると共に、底壁部から離れた反対側において径方向厚さが薄い薄肉部とを有し、前記底壁部は、径方向厚さが前記薄肉部よりも厚く形成されるように構成されることも可能である。【００１３】
かかる清掃具用ケースでは、前記周壁部は、底壁部に接続する底壁部側において径方向厚さが厚い厚肉部を有すると共に、底壁部から離れた反対側において径方向厚さが薄い薄肉部とを有し、前記底壁部は、径方向厚さが前記薄肉部よりも厚く形成されているため、周壁部と底壁部との剛性を高めて筒状体の保形性を担保できる。
【発明の効果】
【００１４】
以上のように、本発明に係る清掃具用ケースによれば、筒状体の軸方向一端及び他端の少なくとも一方が開口しているため、筒状体に用いる材料の使用量を抑制して製造コストを低減させることができると共に、筒状体は、筒壁の少なくとも一部が前記軸方向途中位置において周方向に沿うように径方向内側に凸をなす括れ形状となるように構成されるため、筒状体の剛性を高めて筒状体の保形性を担保できるという効果を奏する。
【図面の簡単な説明】
【００１５】
【図１】本発明の一実施形態に係る清掃具用ケースの斜視図を示す。
【図２Ａ】同清掃具用ケースの正面図を示す。
【図２Ｂ】同清掃具用ケースの底面図を示す。
【図３Ａ】同清掃具用ケースの左側面図を示す。
【図３Ｂ】同清掃具用ケースの平面図を示す。
【図４】同清掃具の正面図を示す。
【図５】同清掃具の芯体を清掃具用ケースに収容した状態の左側面図を示す。
【発明を実施するための形態】
【００１６】
以下、本発明に係る清掃具用ケースの一実施形態について、図面を参照しつつ説明する。なお、以下では、[１．全体構成]、[２．清掃具用ケース]、[２−１．底壁部]、[２−２．周壁部]、[２−３．筒状体の径方向の厚み]、[３．清掃具用ケースの機能]、[４．前記実施形態の構成及び作用（まとめ）]、[５．実施形態の変形例]の順に説明する。
[１．全体構成について]
【００１７】
清掃具用ケース２０は、清掃具１０に支持された粘着テープロールを収容するためのものである。
【００１８】
ここで、粘着テープロールは、少なくとも一方の面が粘着面となっているテープ状（帯状）基材を、中心線回りに筒状に巻回してなる清掃用の粘着テープロールである。具体的には、粘着テープロールは、中心線に沿って軸孔が形成されるように、テープ状基材を粘着面である一方の面を外側にして中心線回りに巻回してなる。軸孔の断面形状は、例えば、円形や多角形で構成可能であり、特に限定されない。このような粘着テープロールは、被清掃面（例えば床面、衣服表面、携帯電話機の画面）上を転がして（即ち回転移動させて）被清掃面を清掃するものである。
【００１９】
また、清掃具１０は、前記粘着テープロールを支持可能に構成される。本実施形態に係る清掃具１０は、図４に示すように、粘着テープロール（図示せず）の軸孔（筒孔）に挿通される芯体１と、該芯体１を支持する本体部２とを備える。芯体１は、粘着テープロールの軸孔に挿通可能な形状をなす。具体的には、芯体１は、棒状をなし、例えば筒状や柱状（断面形状が例えば円形や多角形）で構成され得る。本実施形態の芯体１は、軸方向（長手方向）一端部において、一対の摘み片１ａが形成されると共に、他端部において、芯体１と本体部２とを連結するための連結具３が挿通される貫通孔１ｂが軸方向に沿って形成されている。一対の各摘み片１ａは、互いに向けて押圧可能であり、前記押圧状態では一端部の径方向幅が縮まるように構成される。具体的には、各摘み片１ａは、指を挿入可能な環状体をなし、該環状体に指を入れて一方の摘み片１ａと他方の摘み片１ａとを互いに近づけるように押圧可能に構成される。即ち、各摘み片１ａを互いに向けて押圧することで、芯体１の一端部側から粘着テープロールの軸孔を挿通し易くしている。また、本体部２は、芯体１の一端部及び他端部の少なくとも一方を支持可能に構成される。本体部２の形状は特に限定されない。本実施形態の本体部２は、連結具３を介して芯体１の他端部を支持する。具体的には、本体部２は、把持可能な棒状の取手として構成される。かかる本体部２は、連結具３を介して、芯体１を回転可能に支持する。具体的には、連結具３の一端側は、本体部２に連結（接続）されて、連結具３の他端側は、芯体１の他端部の貫通孔１ｂに挿通されて芯体１に連結（接続）され、芯体１と本体部２とは芯体１の径方向に離間している（図４参照）。連結具３の他端側が芯体１に連結された状態において、芯体１は回転可能になっている。
[２．清掃具用ケースについて]
【００２０】
清掃具用ケース２０を図１から図３、図５に示す。以下では、説明の便宜上、図２Ａの正面図を基準にして紙面横方向を左右方向、紙面縦方向を上下方向、紙面奥行方向を前後方向と定める。
【００２１】
清掃具用ケース２０は、前記清掃具１０によって支持された前記粘着テープロールを収容可能な筒状体を備える。前記筒状体は、清掃具１０に支持された粘着テープロールが筒状体２１の軸方向に沿って収脱可能となるように、軸方向一端及び他端の少なくとも一方が開口する。本実施形態の清掃具用ケース２０は、軸方向一端及び他端の両方が開口する筒状体２１を備える（図３Ａ参照）。なお、本実施形態の他に、前記筒状体２１は、軸方向一端のみ、又は、軸方向他端のみが開口するように構成されることも可能である。
【００２２】
また、前記筒状体２１は、筒状体２１が径方向に自立可能となるように、筒壁の周方向一部が軸方向に沿って板状をなす底壁部２２と、筒壁のうち前記底壁部２２から周方向に形成される部位である周壁部２３とを備えている。
[２−１．底壁部について]
【００２３】
本実施形態の底壁部２２は、図２Ａ、図３Ａに示すように、筒状体２１が上下方向に自立可能となるように、筒壁の周方向一部が一端部（左端部）から他端部（右端部）に亘って形成される平板状をなす。具体的には、平板形状は、左右方向に長尺であり、前後方向に一定長さを有して構成される。
【００２４】
また、底壁部２２は、筒状体２１の軸方向途中位置において筒状体２１の周方向に沿うように径方向内側に凸をなす括れ形状であり、及び／又は、前記周方向途中位置において前記軸方向に沿うように径方向内側に凸をなす括れ形状であるように構成されている。本実施形態では、底壁部２２は、筒状体２１の周方向途中位置において筒状体２１の軸方向に沿うように径方向内側に凸をなす括れ形状である。具体的には、底壁部２２は、図１，３Ａに示すように、前後方向途中位置（具体的には、前後方向中央部）において左右方向に沿うように径方向内側である上方向に凸をなす括れ形状である。
【００２５】
なお、本実施形態の前記前後方向途中位置は、前後方向中央部に限らず、例えば、前後方向の前側又は後側の一方であっても良い。また、その他、前記底壁部２２は、筒状体２１の軸方向途中位置（例えば左右方向中央部、左部、右部など）において筒状体２１の周方向（例えば前後方向）に沿うように径方向内側（例えば上方向）に凸をなす括れ形状であるように構成されることも可能である。さらに、前記底壁部２２は、筒状体２１の軸方向途中位置（例えば左右方向中央部）において筒状体２１の周方向（例えば前後方向）に沿うように径方向内側（例えば上方向）に凸をなす括れ形状であり、かつ、筒状体２１の周方向途中位置（例えば前後方向中央部）において筒状体２１の軸方向（例えば左右方向）に沿うように径方向内側（例えば上方向）に凸をなす括れ形状であるように構成されることも可能である。
[２−２．周壁部について]
【００２６】
本実施形態の周壁部２３は、前記底壁部２２の周方向両端部２２ａから周方向に形成されて径方向に対向する一対の側壁部２４と、該一対の側壁部２４の周方向端部であって底壁部とは反対側の端部同士を連結する天壁部２７とを有する（図１，３Ａ参照）。
【００２７】
各側壁部２４は、底壁部２２に対して起立状態となるように底壁部２２から延設される基部２５と、該基部２５の延設方向端部２５ａから周方向に沿って延設され、径方向外側に凸をなす湾曲形状の湾曲部２６とを備えて構成される。
【００２８】
本実施形態の基部２５は、図２Ａ，３Ａに示すように、底壁部２２の前後方向両端部２２ａから上下方向に沿って立設されており、底壁部２２の上面（径方向内面）に対して起立状態をなす。起立状態とは、基部２５内面（径方向内面）と底壁部２２内面（径方向内面）との交差角が４５度〜１３５度の範囲内であることであり、好ましくは前記交差角が７５度〜１０５度の範囲内であることであり、より好ましくは前記交差角が直角乃至略直角であることを言う。本実施形態では、前記交差角は、直角乃至略直角である。また、基部２５は、筒壁の周方向一部であって、底壁部２２の前後方向両端部２２ａに連結する部位が一端部（左端部）から他端部（右端部）に亘って形成される平板状をなす。具体的には、基部２５は、左右方向に長尺であり、上下方向に一定長さを有して構成される。
【００２９】
また、基部２５は、筒状体２１の軸方向途中位置において周方向に沿うように径方向内側に凸をなす括れ形状となるように構成されている。具体的には、基部２５は、図１，２Ａ，２Ｂに示すように、筒状体２１の左右方向中央部において筒状体２１の周方向（前後方向）に沿うように径方向内側である後方向に凸をなす括れ形状である。なお、本実施形態の前記軸方向途中位置は、左右方向中央部に限らず、例えば、左右方向の左側又は右側の一方であっても良い。
【００３０】
本実施形態の湾曲部２６は、図３Ａに示すように、基部２５の上端部２５ａに連結され、上下方向途中位置（具体的には、上下方向中央部）が前方向に凸をなす湾曲形状である。なお、本実施形態の前記上下方向途中位置は、上下方向中央部に限らず、上部や下部であっても良い。本実施形態の湾曲部２６は、筒壁の周方向一部であって、基部２５の上端部２５ａに連結する部位が一端部（左端部）から他端部（右端部）に亘って形成される断面円弧状の板状をなす。湾曲部２６は、左右方向に長尺であり、上下方向に一定長さを有して構成される。湾曲部２６は、上下方向（又は周方向）の長さにおいて基部２５よりも長い。一方の湾曲部２６の上端部と他方の湾曲部２６の上端部とは、天壁部２７を介して連結されている（図１，３Ａ，３Ｂ参照）。
【００３１】
天壁部２７は、図１，３Ａに示すように、筒状体２１の周方向に沿って形成され、径方向内面側に凹形状をなす。具体的には、天壁部２７は、一方及び他方の湾曲部２６の上端から周方向かつ径方向内側に傾斜する傾斜部同士が連結されてなるＶ字の谷形状をなす。また、本実施形態の天壁部２７は、図３Ｂに示すように、周方向である前後方向途中位置（具体的には、前後方向中央部）において軸方向（左右方向）両端部が軸方向に沿って切り欠かれた開口部２７ａを有する。また、天壁部２７の径方向内面には、前記軸方向（左右方向）両端部の開口部２７ａに沿うように、軸方向一端から他端に亘って一対の突条（レール部）２７ｂが下方に凸設されている（図３Ａ参照）。即ち、一対の突条２７ｂ間に前記軸方向に沿う開口部２７ａが形成されている。また、天壁部２７の径方向外面には、軸方向中央部において、一対の湾曲部２６の上端間に亘って凹部２７ｃが形成されている（図１，３Ｂ参照）。凹部２７ｃの下面（径方向外面）は、平面状をなす。本実施形態の凹部２７ｃは、本体部２（取手）下端部形状に等しい又は略等しい凹形状をなす。なお、本実施形態の周壁部２３は、前記天壁部２７を有する構成であるが、周壁部２３は、天壁部２７を有することなく、一方の湾曲部２６の上端と他方の湾曲部２６の上端とが互いに連結されて構成されることも可能である。
[２−３．筒状体の径方向の厚みについて]
【００３２】
ここで、本実施形態の筒状体２１では、周壁部２３は、底壁部２２に接続する底壁部側において径方向厚さが厚い厚肉部を有すると共に、底壁部２２から離れた反対側において径方向厚さが薄い薄肉部とを有し、前記底壁部２２は、径方向厚さが前記薄肉部よりも厚く形成されるように構成されている。本実施形態では、周壁部２３のうち、上下方向中央部よりも僅かに下部側から下端までの部位が厚肉部であり、前記下部側から上端までの部位が薄肉部である。具体的には、周壁部２３の基部２５と湾曲部２６の下部２６ａとが厚肉部である（図３Ａ参照）。また、周壁部２３の湾曲部２６の下部２６ａから上端までの部位２６ｂが薄肉部である（図３Ａ参照）。さらに、本実施形態の底壁部２２は、基部２５や湾曲部２６の下部２６ａの径方向厚さと略等しい又は等しい厚さの厚肉部である。なお、底壁部２２は、周壁部２３の前記薄肉部よりも径方向厚さが厚く構成されていれば良く、例えば、底壁部２２は、周壁部２３の前記厚肉部よりも厚い又は薄く形成されることも可能である。また、底壁部２２は、一部のみを厚肉部として形成するように構成されることもできる。また、周壁部２３は、薄肉部で形成され、底壁部２２は、周壁部２３の薄肉部よりも径方向厚さが厚い厚肉部で形成されることも可能である。
【００３３】
また、筒状体２１の内面には、周方向に所定間隔で補強リブＲが複数設けられている（図１、３Ａ参照）。本実施形態では、補強リブＲは、軸方向に沿う突条をなし、底壁部２２内面および周壁部２３の湾曲部２６内面に周方向に略等間隔に離間して設けられている。なお、本実施形態の補強リブＲの前記構成の他にも、補強リブＲは、筒状体２１の基部２５に設けられる構成や、筒状体２１の内面において周方向に異なる間隔で離間して設けられる構成が可能であり、或いは、補強リブＲが筒状体２１に設けられない構成も可能である。
[３．清掃具用ケースの機能について]
【００３４】
以上の構成からなる清掃具用ケース２０は、図５に示すように、清掃具１０の芯体１又は該清掃具１０に取り付けた粘着テープロールを収容する。具体的には、使用者は、本体部２（取手）を把持して、清掃具１０の芯体１（又は芯体１に取り付けられた粘着テープロール）を筒状体２１の軸方向一端（又は他端）の開口から前記軸方向に沿って筒状体２１内側に挿通する。このとき、芯体１は、筒状体２１の一対の湾曲部２６間に挿通される。そのため、芯体１は、筒状体２１に容易に挿通して収容される。続いて、使用者は、天壁部２７の一対の突条（レール部）２７ｂと軸方向一端部の開口部２７ａとによって清掃具１０の連結具３を筒状体２１の軸方向に沿わせて移動させ、本体部２を軸方向中央部側に移動させる。使用者は、清掃具１０の本体部２（取手）の下端を天壁部２７の凹部２７ｃの平面状をなす下面（径方向外面）に向けて載置する。本体部２の下端が凹部２７ｃ下面に載置された状態では、清掃具１０の連結具３は、一対の突条２７ｂによって筒状体２１の周方向への移動を規制されている。また、連結具３は、前記開口部２７ａを形成する天壁部２７の縁部によって筒状体２１の軸方向への移動を規制されている。一方、本体部２は、凹部２７ｃ下面によって筒状体２１の径方向内側（下方）への移動を規制され、かつ、凹部２７ｃ内周面によって筒状体２１の軸方向及び周方向への移動を規制されている。このように本体部２は、筒状体２１に支持された状態で、芯体１は筒状体２１に収容されている。なお、清掃具１０に粘着テープロールを着脱する際には、芯体１の各摘み片１ａを互いに押圧して芯体１一端側の径方向幅を縮めることで、一端部側から粘着テープロールの軸孔を芯体１に挿通し、又は、一端部側から粘着テープロールを芯体１から取り外すことができる。
【００３５】
ここで、かかる清掃具用ケース２０では、筒状体２１の軸方向一端及び他端が開口しているため、筒状体２１に用いる材料の使用量を抑制して製造コストを低減させることができる。また、筒状体２１の底壁部２２は、筒状体２１の周方向途中位置において筒状体２１の軸方向に沿うように径方向内側に凸をなす括れ形状であるので、筒状体２１の剛性を高めることができ、筒状体２１の保形性を担保できる。また、周壁部２３の基部２５は、筒状体２１の軸方向途中位置において周方向に沿うように径方向内側に凸をなす括れ形状であり、底壁部２２に起立状態であるので、周壁部２３（側壁部２４）の剛性を高めて筒状体２１の保形性を担保できる。さらに、底壁部２２と、周壁部２３の基部２５と、湾曲部２６の下部２６ａとが厚肉部であるため、底壁部２２と周壁部２３との剛性を高めて筒状体２１の保形性を担保できる。また、湾曲部２６の上部側２６ｂが薄肉部であるため、筒状体２１を軽量化できる。また、筒状体２１の内面には複数の補強リブＲが形成されており、筒状体２１の剛性を高めて筒状体２１の保形性を担保できる。
[４．前記実施形態の構成及び作用（まとめ）について]
【００３６】
以上、本実施形態をまとめると、清掃具用ケース２０は、粘着面を有するテープ状基材を巻回してなる粘着テープロールを該ロールの中心軸線回りに回転可能に支持する清掃具１０によって支持された粘着テープロールを収容可能な筒状体を備えた清掃具用ケース２０であって、筒状体２１は、清掃具１０に支持された粘着テープロールが筒状体２１の軸方向に沿って収脱可能となるように、軸方向一端及び他端の少なくとも一方が開口すると共に、筒壁の少なくとも一部が前記軸方向途中位置において周方向に沿うように径方向内側に凸をなす括れ形状となるように構成されることを特徴とする。
【００３７】
かかる清掃具用ケース２０では、筒状体２１の軸方向一端及び他端の少なくとも一方が開口しているため、筒状体２１に用いる材料の使用量を抑制して製造コストを低減させることができる。また、かかる清掃具用ケース２０では、筒状体２１は、筒壁の少なくとも一部が前記軸方向途中位置において周方向に沿うように径方向内側に凸をなす括れ形状となるように構成されるため、筒状体２１の剛性を高めることができ、筒状体２１の保形性を担保できる。
【００３８】
また、本実施形態に係る清掃具用ケース２０では、前記筒状体２１は、筒状体２１が径方向に自立可能となるように、筒壁の周方向一部が軸方向に沿って板状をなす底壁部２２と、筒壁のうち前記底壁部２２から周方向に形成される部位である周壁部２３とを備えており、前記周壁部２３は、前記底壁部２２の周方向両端部２２ａから周方向に形成されて径方向に対向する一対の側壁部２４を含み、各側壁部２４は、底壁部２２に対して起立状態となるように底壁部２２から延設される基部２５と、該基部２５の延設方向端部から周方向に沿って延設され、径方向外側に凸をなす湾曲形状の湾曲部２６とを備え、周壁部２３のうち少なくとも基部２５が前記括れ形状をなすように構成される。
【００３９】
かかる清掃具用ケース２０では、各側壁部２４が湾曲部２６と基部２５とを備え、湾曲部２６が径方向外側に凸をなす湾曲形状をなすため、湾曲部２６の径方向内側領域に粘着テープロールを容易に収容できると共に、基部２５は、底壁部２２に対して起立状態に形成され、かつ、前記括れ形状をなすため、側壁部２４の剛性を高めて筒状体２１の保形性を担保できる。
【００４０】
また、本実施形態に係る清掃具用ケース２０では、前記周壁部２３は、底壁部２２に接続する底壁部側において径方向厚さが厚い厚肉部を有すると共に、底壁部２２から離れた反対側において径方向厚さが薄い薄肉部とを有し、前記底壁部２２は、径方向厚さが前記薄肉部よりも厚く形成されるように構成されることも可能である。
【００４１】
かかる清掃具用ケース２０では、前記周壁部２３は、底壁部２２に接続する底壁部側において径方向厚さが厚い厚肉部を有すると共に、底壁部２２から離れた反対側において径方向厚さが薄い薄肉部とを有し、前記底壁部２２は、径方向厚さが前記薄肉部よりも厚く形成されているため、周壁部２３と底壁部２２との剛性を高めて筒状体２１の保形性を担保できる。
[５．実施形態の変形例について]
【００４２】
なお、本発明に係る清掃具は、上記実施形態に限定されるものではなく、本発明の要旨を逸脱しない範囲で種々の変更が可能である。
【００４３】
例えば、本実施形態では、粘着テープロールは、中心線上に沿って軸孔が形成されるように、テープ状基材を粘着面である一方の面を外側にして中心線の周りに巻回してなる構成について説明したが、これに限らず、粘着テープロールは、中心線上に沿って軸孔が形成されるように、テープ状基材を粘着面である一方の面を内側にして中心線の周りに巻回してなる構成でも良いし、粘着テープロールは、テープ状基材の一方及び他方の面がともに粘着面で構成されることも可能である。
【００４４】
また、本実施形態では、清掃具の本体部２は、芯体１の径方向に離間している場合について説明したが、これに限らず、清掃具の本体部２は、芯体１の軸方向に離間して連結具を介して芯体１の軸方向端部に連結され、或いは、本体部２は、芯体１の軸方向端部から軸方向に沿って延設されるように構成されることも可能である。その他、本体部２は、芯体１の径方向に離間すると共に芯体１の軸方向長さに対応する天壁部と、該天壁部に設けられる把持可能な取手とを備え、前記天壁部は、芯体１が回転可能となるように芯体１の軸方向一端部及び他端部の少なくとも一方を支持可能な支持部を備えて構成されることも可能である。
【００４５】
また、本実施形態に係る清掃具用ケース２０において、湾曲部２６は、筒状体２１の軸方向途中位置において周方向に沿うように径方向内側に凸をなす括れ形状となるように構成されることも可能である。例えば、湾曲部２６は、筒状体２１の軸方向中央部において周方向（上下方向）に沿うように径方向（前後方向）内側に凸をなす括れ形状となるように構成される。かかる清掃具用ケース２０では、前記湾曲部２６が前記括れ形状をなすため、側壁部２４の剛性を高めて筒状体２１の保形性を担保できる。
【符号の説明】
【００４６】
１…芯体、１ａ…摘み片、２…本体部、３…連結具、１０…清掃具、２０…清掃具用ケース、２１…筒状体、２２…底壁部、２２ａ…周方向両端部、２３…周壁部、２４…側壁部、２５…基部、２６…湾曲部、２７…天壁部、Ｒ…補強リブ
【図１】
2015145704.tif 000003
【図２Ａ】
2015145704.tif 000004
【図２Ｂ】
2015145704.tif 000005
【図３Ａ】
2015145704.tif 000006
【図３Ｂ】
2015145704.tif 000007
【図４】
2015145704.tif 000008
【図５】
2015145704.tif 000009
【国際調査報告】
2015145704.tif 000010
2015145704.tif 000011